(57)【特許請求の範囲】
【請求項１】
感光材料を収容したマガジンから感光材料を給送し、給送された感光材料に、出力画像データに基づき出力画像を露光する画像記録装置において、
感光材料を収容した複数のマガジンをセットすることができるセット部と、
前記セット部に複数のマガジンがセットされた場合、複数の感光材料が搬送幅方向に並べて給送することができ、前記セット部にセットされたマガジンから感光材料を給送する給送手段と、
感光材料と直に接して当該感光材料を搬送駆動する搬送駆動部材を有し、前記搬送駆動部材は搬送幅方向に単一であり、前記給送手段により複数の感光材料が搬送幅方向に並べて給送された場合、給送された複数の感光材料を搬送幅方向に並べて搬送することができ、前記給送手段により給送された感光材料を搬送する搬送手段と、
前記搬送手段により搬送されている感光材料に、出力画像データに基づき出力画像を露光する露光手段と、を有し、
前記セット部には、前記複数のマガジンをセットする代わりに、重複する位置に、前記複数のマガジンに収容されているロールの幅より広い幅の感光材料を収容したマガジンをセットすることができる画像記録装置であって、、
前記セット部が、第一のマガジンをＮ個（Ｎは２以上の自然数）セットすることも、第二のマガジンをＮ個より多いＭ個（ＭはＮより大きい自然数）セットすることもできるように、設けられるとともに、
前記給送手段には、前記セット部に前記第一のマガジンがＮ個セットされた場合でも、前記セット部に前記第二のマガジンがＭ個セットされた場合でも、単一の前記搬送手段に搬送幅方向に並べて給送できるように、各ロール毎にそれぞれ当該ロールの感光材料のみを給送する給送部材が少なくとも１つずつあるように、前記給送部材が設けられたことを特徴とする画像記録装置。
【発明の詳細な説明】
【０００１】
【発明の属する技術分野】
本発明は、感光材料を給送し、給送された感光材料に出力画像データに基づき出力画像を露光する画像記録装置及びこのような画像記録装置を用いてモノクロームプリント及びカラープリントを生産するプリント生産方法に関する発明である。
【０００２】
【従来の技術】
感光材料を給送し、給送された感光材料に、出力画像データに基づき出力画像を露光する画像記録装置を、高能力にするために以下の提案がなされている。
【０００３】
特開平６−３４７９１４号公報には、感光材料のロールを収容した２つのロールマガジンの各ロールマガジン毎に、当該ロールマガジンから感光材料を繰り出しカッタに給送する給送部材が設けられ、前記給送部材により給送された感光材料を幅方向に切断する前記カッタが、前記２つのロールマガジンから前記給送部材により給送された感光材料を同時に切断するように、１つだけ設けられ、前記カッタで切断された感光材料を搬送する搬送手段が、前記２つのロールマガジンの各ロールマガジン毎に、設けられ、前記搬送手段により搬送されている２つの感光材料に、出力画像データに基づき出力画像を露光する露光手段が設けられたものが記載されている。
【０００４】
また、特開平８−３１４０２２号公報には、感光材料のロールを収容したロールマガジンをセットするためのセット部が、セット部にセット可能な最大幅の感光材料を収容したロールマガジンをセットすることも、前記最大幅より狭い幅の感光材料を収容したロールマガジンを複数搬送幅方向に並べてセットすることもできるように設けられ、前記セット部にセットされる各ロールマガジン内部に、各々、前記ロールマガジンに収容された感光材料を繰り出しカッタに直接給送する給送部材が設けられ、前記ロールマガジン内部の給送部材により前記複数のロールマガジンから複数の感光材料を搬送幅方向に並べて給送でき、前記給送部材により給送された感光材料を切断するカッタが１つだけ設けられ、前記給送部材により複数の感光材料が搬送幅方向に並べて給送された場合、前記カッタが搬送幅方向に並べて給送された複数の感光材料を同時に切断し、給送され、前記カッタで切断された感光材料を搬送する搬送手段が、複数の感光材料が搬送幅方向に並べて給送された場合、給送された複数の感光材料を搬送するように、設けられ、前記搬送手段により搬送されている感光材料に、出力画像データに基づき出力画像を露光する露光手段が、前記搬送手段により複数の感光材料を搬送幅方向に並べて搬送している場合でも、前記搬送手段により搬送されている感光材料の搬送幅方向の全域を露光できるように、設けられたものが記載されている。
【０００５】
出力画像データに基づいて出力画像を露光する画像記録装置で、モノクロームプリントを得るには、通常、モノクロームプリント用感光材料専用の画像記録装置でモノクロームプリント用感光材料に出力画像データに基づいて出力画像を露光していた。
【０００６】
また、出力画像データに基づいて出力画像を露光する画像記録装置で、カラープリントを得るには、通常、カラープリント用感光材料専用の画像記録装置でカラープリント用感光材料に出力画像データに基づいて出力画像を露光していた。
【０００７】
また、出力画像データに基づいて出力画像を露光する画像記録装置で、モノクロームプリントを得るのに、出力画像データをカラーデータに変換して、カラープリント用感光材料専用の画像記録装置でカラープリント用感光材料に出力画像データに基づいて出力画像を露光していた。
【０００８】
【発明が解決しようとする課題】
しかし、特開平６−３４７９１４号公報に記載の提案では、感光材料を搬送する搬送手段が各ロールマガジン毎に設けられているので、搬送手段が複雑になり、また、搬送制御や搬送手段により搬送されている感光材料へ露光するための露光制御が複雑になる。また、広幅の感光材料を搬送する所に複数の狭幅の感光材料を搬送幅方向に並べて搬送することができない。
【０００９】
また、特開平８−３１４０２２号公報に記載の提案では、各ロールマガジン内部に感光材料を給送する給送部材が設けられて、この給送部材によってカッタに直接給送するので、このロールマガジン内部に設けられた給送部材の給送精度を高くすることが必要があり、ロールマガジンが高価になり、通常、１つの画像記録装置に対して多数あるロールマガジンが高価になるので、システム全体としてもコストアップになる。また、セット部にセットできる最大幅の感光材料ロールマガジンをセットしたときも、前記最大幅より狭い幅の感光材料のロールを収容したロールマガジンを複数セットしたときも、ロールマガジン内部の給送部材を駆動させることができるようにするために、この駆動のための画像記録装置側の構造が複雑になる。さらに、ロールマガジン毎に給送部材が異なると給送制御が複雑になる。
【００１０】
本発明は、上記課題を解決するもので、高能力で、単一の搬送手段で、搬送制御や露光制御を簡素にでき、広幅の感光材料を搬送する所に複数の狭幅の感光材料を搬送することができ、また、単一の搬送手段に直接給送するための給送部材が設けられた高価なマガジンが不要で、給送のための構造を簡素にできるようにすることを目的とする。
【００１５】
【課題を解決するための手段】
前記課題は、特許請求の範囲の請求項に記載した下記の発明により解決される。
『感光材料を収容したマガジンから感光材料を給送し、給送された感光材料に、出力画像データに基づき出力画像を露光する画像記録装置において、
感光材料を収容した複数のマガジンをセットすることができるセット部と、
前記セット部に複数のマガジンがセットされた場合、複数の感光材料が搬送幅方向に並べて給送することができ、前記セット部にセットされたマガジンから感光材料を給送する給送手段と、
感光材料と直に接して当該感光材料を搬送駆動する搬送駆動部材を有し、前記搬送駆動部材は搬送幅方向に単一であり、前記給送手段により複数の感光材料が搬送幅方向に並べて給送された場合、給送された複数の感光材料を搬送幅方向に並べて搬送することができ、前記給送手段により給送された感光材料を搬送する搬送手段と、
前記搬送手段により搬送されている感光材料に、出力画像データに基づき出力画像を露光する露光手段と、を有し、
前記セット部には、前記複数のマガジンをセットする代わりに、重複する位置に、前記複数のマガジンに収容されているロールの幅より広い幅の感光材料を収容したマガジンをセットすることができる画像記録装置であって、、
前記セット部が、第一のマガジンをＮ個（Ｎは２以上の自然数）セットすることも、第二のマガジンをＮ個より多いＭ個（ＭはＮより大きい自然数）セットすることもできるように、設けられるとともに、
前記給送手段には、前記セット部に前記第一のマガジンがＮ個セットされた場合でも、前記セット部に前記第二のマガジンがＭ個セットされた場合でも、単一の前記搬送手段に搬送幅方向に並べて給送できるように、各ロール毎にそれぞれ当該ロールの感光材料のみを給送する給送部材が少なくとも１つずつあるように、前記給送部材が設けられたことを特徴とする画像記録装置。』
前記（１）に記載の発明について以下説明する。先ず、搬送幅方向に並べて搬送される複数の感光材料を露光できるので、高能力で、狭幅のプリントを広幅のプリントより高速に得ることができる。また、搬送手段の搬送駆動部材は搬送幅方向に単一であるので、搬送制御や露光制御を簡素にでき、広幅の感光材料を搬送する所に複数の狭幅の感光材料を搬送することができる。また、給送手段が、前記セット部に複数のマガジンがセットされた場合、各ロール毎に当該ロールの感光材料のみを給送する給送部材が少なくとも１つずつあるように、マガジン内ではなく、本装置に設けられているので、簡単な給送構造及び給送制御で給送でき、搬送手段に直接給送するための給送部材が設けられた高価なマガジンが不要にできる。これにより、前記セット部に複数のマガジンがセットした場合でも、前記セット部に前記複数のマガジンをセットする代わりに、重複する位置に、前記複数のマガジンに収容されているロールの幅より広い幅の感光材料を収容したマガジンをセットした場合でも、感光材料を給送して、搬送して、露光することができるので、多様な幅のプリントを簡単により高速に得ることができ、かつ、簡単な給送構造及び給送制御で給送できる。
【００１９】
【発明の実施の形態】
本発明は下記（１）の画像記録装置にあるが、本発明の好ましい実施の形態としては、下記の（２）〜（１９）の画像記録装置を挙げることができる。
（１）『感光材料を収容したマガジンから感光材料を給送し、給送された感光材料に、出力画像データに基づき出力画像を露光する画像記録装置において、
感光材料を収容した複数のマガジンをセットすることができるセット部と、
前記セット部に複数のマガジンがセットされた場合、複数の感光材料が搬送幅方向に並べて給送することができ、前記セット部にセットされたマガジンから感光材料を給送する給送手段と、
感光材料と直に接して当該感光材料を搬送駆動する搬送駆動部材を有し、前記搬送駆動部材は搬送幅方向に単一であり、前記給送手段により複数の感光材料が搬送幅方向に並べて給送された場合、給送された複数の感光材料を搬送幅方向に並べて搬送することができ、前記給送手段により給送された感光材料を搬送する搬送手段と、
前記搬送手段により搬送されている感光材料に、出力画像データに基づき出力画像を露光する露光手段と、を有し、
前記セット部には、前記複数のマガジンをセットする代わりに、重複する位置に、前記複数のマガジンに収容されているロールの幅より広い幅の感光材料を収容したマガジンをセットすることができる画像記録装置であって、、
前記セット部が、第一のマガジンをＮ個（Ｎは２以上の自然数）セットすることも、第二のマガジンをＮ個より多いＭ個（ＭはＮより大きい自然数）セットすることもできるように、設けられるとともに、
前記給送手段には、前記セット部に前記第一のマガジンがＮ個セットされた場合でも、前記セット部に前記第二のマガジンがＭ個セットされた場合でも、単一の前記搬送手段に搬送幅方向に並べて給送できるように、各ロール毎にそれぞれ当該ロールの感光材料のみを給送する給送部材が少なくとも１つずつあるように、前記給送部材が設けられたことを特徴とする画像記録装置。』
（２）『前記セット部に、互いに幅の異なる感光材料を収容したマガジンを複数セットできることを特徴とする（１）に記載の画像記録装置。』
（２）に記載の発明により、感光材料を交換しなくても、幅の異なるプリントを得る露光を同時に又は交互にすることができる。
【００２０】
（３）『前記露光手段が、前記感光材料としてカラー感光材料を露光する際の当該カラー感光材料が感光する各原色毎に、当該原色に応じた光で、１又は複数列の直線状の露光位置に露光する前記露光系を、備え、
各露光系の直線状の露光位置は、
前記搬送手段が前記感光材料を一定の搬送方向に搬送する領域内にあり、
互いに前記搬送方向に異なる位置であって、
前記搬送方向に垂直で互いに平行な直線上の位置であることを特徴とする（１）又は（２）に記載の画像記録装置。』
（３）に記載の発明により、前記露光手段が、前記感光材料としてカラー感光材料を露光する際の当該カラー感光材料が感光する各原色毎に、当該原色に応じた光で、直線状の露光位置に露光する前記露光系を、備え、各露光系の直線状の露光位置は、全て、前記搬送手段が一定の搬送方向に前記感光材料を搬送する領域内にあり、互いに前記搬送方向に異なる位置であって、前記搬送方向に垂直で互いに平行な直線上の位置であるものであり、かつ、前記給送部材により複数の感光材料を搬送幅方向に並べて給送された場合でも、搬送幅方向に単一の搬送駆動部材により、前記給送部材により給送された感光材料を全て単一に搬送するものであるので、色ズレが発生しにくく、良好な露光ができる。
【００２１】
（４）『前記露光系が、複数の発光部が前記搬送手段の搬送方向と交差する方向に一列又は複数列の点線状に配列された露光ヘッドを有するものであることを特徴とする（３）に記載の画像記録装置。』
（４）に記載の発明により、発光部毎の発光量の相違の補正条件や、発光部毎の前記露光系が露光する直線からの微妙な位置のズレの補正条件や、感光材料の感光面に対して垂直方向のピント位置などが、搬送する感光材料の幅や搬送幅方向に並べる数によって変動しにくい。
【００２２】
（５）『前記マガジンが、感光材料のロールを収容したロールマガジンであり、
前記給送手段により給送された感光材料を搬送幅方向に切断するカッタが、１つだけ設けられ、
前記露光手段が、前記カッタにより切断された感光材料を露光するものであることを特徴とする（１）〜（４）のいずれか１項に記載の画像記録装置。』
（５）に記載の発明により、搬送幅方向に並べて給送された複数の感光材料からの搬送方向の長さが互いに異なるプリントを得るような場合であっても、前記カッタの位置で先頭位置が一致しているので、搬送手段で搬送する際に、搬送幅方向に並べて搬送される感光材料の先頭位置が異なることによる搬送ムラの発生を防止しやすい。
【００２３】
（６）『感光材料を給送し、給送された感光材料に、出力画像データに基づき出力画像を露光する画像記録装置において、
複数の感光材料を搬送幅方向に並べて給送することも、当該複数の感光材料を並べて給送する搬送幅方向の位置に重複する位置に１つの感光材料を給送することも、できる給送手段と、
感光材料と直に接して当該感光材料を搬送駆動する搬送駆動部材を有し、前記搬送駆動部材は搬送幅方向に単一であり、前記給送手段により複数の感光材料が搬送幅方向に並べて給送された場合、給送された複数の感光材料を搬送幅方向に並べて搬送することができ、前記給送手段により給送された感光材料を搬送する搬送手段と、
前記搬送手段により搬送されている感光材料に、出力画像データに基づき出力画像を露光する露光手段とが、設けられ、
前記露光手段が、前記感光材料としてカラー感光材料を露光する際の当該カラー感光材料が感光する各原色毎に、当該原色に応じた光で、１又は複数列の直線状の露光位置に露光する前記露光系を、備え、
各露光系の直線状の露光位置は、
前記搬送手段が一定の搬送方向に前記感光材料を搬送する領域内にあり、
互いに前記搬送方向に異なる位置であって、
前記搬送方向に垂直で互いに平行な直線上の位置であることを特徴とする画像記録装置。』
（６）に記載の発明により、カラー感光材料が感光する各原色毎に、当該原色に応じた光で前記搬送手段の搬送方向に異なる位置に露光する前記露光系が、設けられていても、前記露光系が互いに平行な直線上の位置に露光するものであり、かつ、前記給送手段により複数の感光材料を搬送幅方向に並べて給送された場合でも、単一の搬送手段により、前記給送手段により給送された感光材料を全て単一に搬送するものであるので、色ズレが発生しにくく、良好な露光ができる。
【００２４】
（７）『前記露光系が、複数の発光部が前記搬送手段の搬送方向と交差する方向に一列又は複数列の点線状に配列された露光ヘッドを有するものであることを特徴とする（６）に記載の画像記録装置。』
（７）に記載の発明により、発光部毎の発光量の相違の補正条件や、発光部毎の前記露光系が露光する直線からの微妙な位置のズレの補正条件や、感光材料の感光面に対して垂直方向のピント位置などが、搬送する感光材料の幅や搬送幅方向に並べる数によって変動しにくい。
【００２５】
（８）『前記セット部に、カラー感光材料を収容したマガジンとモノクローム感光材料を収容したマガジンとをセットできることを特徴とする（１）〜（７）のいずれか１項に記載の画像記録装置。』
（８）に記載の発明により、たとえ高い精度の露光制御や現像処理がなくても、作業効率を低下させることなく、カラープリントを得るための露光とモノクローム色調の精度が高いモノクロームプリントを得るための露光とを交互に又は同時に行うことができる。
【００２６】
（９）『感光材料を給送し、給送された感光材料に、出力画像データに基づき出力画像に露光する画像記録装置において、
カラー感光材料及びモノクローム感光材料の一方を給送することも、カラー感光材料とモノクローム感光材料とを同時に搬送幅方向に並べて給送することもできることを特徴とする画像記録装置。』
（９）に記載の発明により、たとえ高い精度の露光制御や現像処理がなくても、作業効率を低下させることなく、カラープリントを得るための露光とモノクローム色調の精度が高いモノクロームプリントを得るための露光とを交互に又は同時に行うことができる。
【００２７】
（１０）『カラー感光材料を収容したマガジンと、モノクローム感光材料を収容したマガジンとをセットできるセット部と、
前記セット部にセットされたマガジンから感光材料を給送する給送手段と、
前記給送手段により給送された感光材料を搬送する搬送手段と、
前記搬送手段により搬送されている感光材料に、出力画像データに基づき出力画像を露光する露光手段と、
が設けられたものであることを特徴とする（９）に記載の画像記録装置。』
（１１）『前記マガジンに、収容した感光材料がカラー感光材料かモノクローム感光材料かを表示する表示部が設けられており、
前記セット部にセットされた前記マガジンの前記表示部を読み取って、前記セット部にセットされた前記マガジンに収容された感光材料が、収容した感光材料がカラー感光材料かモノクローム感光材料かによって、前記出力画像データに基づく、給送制御及び前記露光手段の露光制御を変更することを特徴とする（８）又は（１０）に記載の画像記録装置。』
（１１）に記載の発明により、マガジンに設けられた表示部を読み取ることによって、前記セット部にセットされた前記マガジンに収容された感光材料が、収容した感光材料がカラー感光材料かモノクローム感光材料かを判別でき、これにより、前記出力画像データがモノクローム画像のデータか、カラー画像のデータかによって、給送する感光材料を変えたり、露光制御を変えたりすることがミスなく自動的に行え、作業性が向上し、トラブルなく露光を行うことができる。
【００２８】
（１２）『前記セット部に、互いに異なる面質の感光材料を収容したマガジンを複数セットできることを特徴とする（１）〜（５）、（８）及び（９）〜（１１）のいずれか１項に記載の画像記録装置。』
（１２）に記載の発明により、作業効率を低下させることなく、交互に又は同時に、異なる面質のプリントを得るための露光を行うことができる。
【００２９】
（１３）『前記マガジンに、収容した感光材料の面質を表示する表示部が設けられており、
前記セット部にセットされた前記マガジンの前記表示部を読み取って、前記セット部にセットされた前記マガジンに収容された感光材料の面質に応じて、前記出力画像データに基づく、給送制御及び前記露光手段の露光制御を変更することを特徴とする（１２）に記載の画像記録装置。』
（１３）に記載の発明により、マガジンに設けられた表示部を読み取ることによって、前記セット部にセットされた前記マガジンに収容された感光材料の面質を判別でき、これにより、前記出力画像データの面質データに応じて、給送する感光材料を変えたり、露光制御を変えたり（感光材料の面質によって、露光量と濃度との関係が異なる）することがミスなく自動的に行え、作業性が向上し、トラブルなく露光を行うことができる。
【００３０】
（１４）『前記マガジンには、前記感光材料を給送するための給送スリットが設けられており、
前記セット部には、セットされる２以上のマガジンについて、当該マガジンの前記給送スリットから当該マガジンに収容された前記感光材料を全て給送できる単一の給送口が設けられていることを特徴とする（１）〜（５）、（８）、（１０）〜（１３）のいずれか１項に記載の画像記録装置。』
（１４）に記載の発明により、セットされる全てのマガジンについて、単一の給送口から感光材料を給送できるので、給送機構を簡単に小型に安価にできる。
【００３１】
（１５）『感光材料を収容し、前記感光材料を給送するための給送スリットが設けられているマガジンをセットでき、セットされたマガジンの前記給送スリットから当該マガジンに収容された感光材料を給送できる単一の給送口が設けられている第二セット部が、当該第二セット部の給送口と前記セット部の給送口とが平行になるように設けられており、
前記第二セット部にセットされたマガジンから感光材料を前記搬送手段に給送する給送手段が設けられたことを特徴とする（１４）に記載の画像記録装置。』
（１５）に記載の発明により、セットされるマガジンの交換の手間がより少なく、より効率的に又より多くの種類の感光材料に露光することができる。
【００３２】
（１６）『感光材料を収容し、前記感光材料を給送するための給送スリットが設けられているマガジンをセットでき、セットされたマガジンの前記給送スリットから当該マガジンに収容された感光材料を給送できる単一の給送口が設けられている第二セット部が、当該第二セット部の給送口及びその給送方向と前記セット部の給送口及びその給送方向とが同一面内になり、前記第二セット部の給送方向と前記セット部の給送方向とが交差するように設けられており、
前記第二セット部にセットされたマガジンから感光材料を前記搬送手段に給送する給送手段が設けられたことを特徴とする（１４）に記載の画像記録装置。』
（１６）に記載の発明により、セットされるマガジンの交換の手間がより少なく、より効率的に又より多くの種類の感光材料に露光することができる。
【００３３】
（１７）『前記セット部にセットされたマガジンに収容された感光材料の種類、幅を入力する入力手段と、
前記入力手段により入力された感光材料の種類、幅に応じて、前記出力画像データに基づく、給送制御及び露光制御を変えることを特徴とする（１）〜（５）、（８）及び（１０）〜（１６）のいずれか１項に記載の画像記録装置。』
（１７）に記載の発明により、前記出力画像データに応じて、給送する感光材料を変えたり、露光制御を変えたりすることが自動的に行え、作業性が向上し、トラブルを少なくすることができる。
【００３４】
（１８）『前記露光手段の状態情報に応じて、前記出力画像データに基づく、給送制御及び露光制御を変えることを特徴とする（１）〜（１７）のいずれか１項に記載の画像記録装置。』
（１８）に記載の発明により、前記露光手段の状態情報に応じて、給送する感光材料を変えたり、露光制御を変えたりすることが自動的に行え、作業性が向上し、トラブルを少なくすることができる。
【００３５】
なお、露光手段の状態情報には、例えば、露光手段の現在適切に露光できる幅方向の位置範囲に関する情報や、複数の発光部が設けられた露光ヘッドの現在適切な発光輝度で発光できない発光部に関する情報や、複数の発光部が設けられた露光ヘッドの現在適切な温度に上昇していない発光部に関する情報や、複数の発光部が設けられた露光ヘッドの発光部の発光頻度に関する情報や、複数の発光部が設けられた露光ヘッドの発光部の結像性能に関する情報や、複数の発光部が設けられた露光ヘッドの発光部の結像位置に関する情報なとが挙げられる。
【００３６】
（１９）『複数の感光材料を同時に搬送幅方向に並べて給送することができる給送手段と、
前記給送手段により搬送幅方向に並べて給送された感光材料を搬送する搬送手段と、
前記搬送手段により搬送されている感光材料に、出力画像データに基づき出力画像を露光する露光手段と、
が設けられた画像記録装置を用いて、モノクロームプリント及びカラープリントを生産するプリント生産方法において、
前記感光材料として、生産するプリントの種類に応じて、カラー感光材料及びモノクローム感光材料の一方を給送したり、カラー感光材料とモノクローム感光材料とを同時に搬送幅方向に並べて給送したりして、モノクロームプリント及びカラープリントを生産することを特徴とするプリントの生産方法。』
（１９）に記載の発明により、たとえ高い精度の露光制御や現像処理がなくても、作業効率を低下させることなく、カラープリントを得るための露光とモノクローム色調の精度が高いモノクロームプリントを得るための露光とを交互に又は同時に行うことができる。
【００３７】
〔用語などの説明〕
感光材料としては、ハロゲン化銀写真感光材料や、感光感熱記録材料などが挙げられる。そして、本発明の効果は、ハロゲン化銀写真感光材料で特に顕著である。また、感光材料は反射支持体のものでも、透明支持体のものであってもよい。
【００３８】
「複数の発光部が一列又は複数列の点線状に配列された」としては、図７の（ａ）に示すように複数の発光部が一列の点線状に配列されたものや、図７の（ｂ）に示すように複数の発光部が二列の点線状に配列されたものや、図７の（ｃ）に示すように複数の発光部が三列の点線状に配列されたものなどが挙げられる。なお、図７の（ｂ）、（ｃ）では、複数列の発光部が互いに配列方向に対して異なる位置に配列されているが、複数列の発光部が同じ位置に配列されていてもよい。また、発光部どうしは、図７に示すように互いに離れていてもよいし、接していてもよい。
【００３９】
また、「複数の発光部が一列又は複数列の点線状に配列された露光ヘッド」の発光部としては、ＬＥＤアレイのＬＥＤ発光素子や、真空蛍光プリントヘッド（ＶＦＰＨ）の蛍光体発光素子や、光源の前に設置されたＰＬＺＴシャッターアレイの個々のシャッタや、光源の前に設置された液晶アレイの個々の液晶シャッタや、一端が個々の発光源と接続された光ファイバーの他端などが挙げられる。
【００４０】
また、隣接する発光部とは、配列方向に隣接する発光部のことで、図７（ａ）及び図７（ｂ）の場合、発光部Ｎｏ．１及び発光部Ｎｏ．２は互いに隣接する発光部であり、発光部Ｎｏ．２及び発光部Ｎｏ．３も互いに隣接する発光部であり、図７（ｃ）の場合、発光部Ｎｏ．１及び発光部Ｎｏ．２や発光部Ｎｏ．２及び発光部Ｎｏ．３は互いに隣接する発光部であり、さらに、発光部Ｎｏ．３及び発光部Ｎｏ．４も互いに隣接する発光部である。
【００４１】
本発明において、方向とは、幾何学における方向を意味し、一定の搬送方向とは、搬送方向が直線に沿った方向であることを意味する。
【００４２】
以下に本発明に関する具体例の一例を実施形態として示すが、本発明はこれらに限定されない。また、実施形態には、用語等に対する断定的な表現があるが、本発明の好ましい例を示すもので、本発明の用語の意義や技術的範囲を限定するものではない。
【００４３】
実施形態１
本実施形態の画像記録装置は、感光材料のロール２５を収容したロールマガジン２０から感光材料２を給送し、給送された感光材料２に出力画像データに基づき出力画像を露光する画像記録装置である。以下、本実施形態の画像記録装置の概略正面断面図である図１及び概略平面断面図であり図１のＡ−Ａ断面図である図２〜図６に基づいて、本実施形態の画像記録装置について説明する。
【００４４】
ロールマガジン２０は、感光材料のロール２５を暗室状態で収容して運べる略直方体のロールマガジンである。そして、収容した感光材料のロール２５を送出するための出入口である送出スリット２３が遮光された状態で設けられており、この送出スリット２３から感光材料を給送する。どのような幅のどのような面質のかつどのような種類の感光材料を収容したロールマガジンであっても、送出スリット２３は、底面から同じ所定の高さの位置に、搬送幅方向に垂直な断面が同じ断面であるように設けられている。
【００４５】
また、ロールマガジン２０に収容された感光材料のロール２５から送出された感光材料の先端側を挟持する送出ローラ対２４が設けられており、この送出スリット２３から感光材料の先端側を送出できるようにしている。
【００４６】
また、ロールマガジン２０の外壁の所定位置には、収容した感光材料の品種（収容した感光材料がカラープリント用感光材料かモノローム感光材料かということを含む）と、収容した感光材料の面質とを表示する表示部２１が設けられており、また、収容した感光材料の幅を表示する幅表示部２２が設けられている。
【００４７】
セット部３０は、感光材料のロール２５を収容したロールマガジン２０を所定位置にセットする部分で、図２に示すように最大幅の感光材料（例えば、２９７ｍｍ幅）のロール２５Ａを収容したロールマガジン２０Ａを１つセットすることも、図３〜６に示すようにこの最大幅より狭い幅の感光材料のロール２５Ｂ〜２５Ｈを収容したロールマガジン２０Ｂ〜２０Ｈを複数セットすることもできるように設けられている。
【００４８】
例えば、最大幅の感光材料（例えば、２９７ｍｍ幅）のロール２５Ａを収容したロールマガジン２０Ａは図２に示すように１つしかセットできないが、１４８ｍｍ幅の感光材料のロール２５Ｂ、２５Ｃを収容したロールマガジン２０Ｂ、２０Ｃは図３に示すように２つ搬送幅方向に隣接して、搬送幅方向から見て同じ位置にセットでき、８９ｍｍ幅の感光材料のロール２５Ｄ〜２５Ｆを収容したロールマガジン２０Ｄ〜２０Ｆは図４に示すように３つ搬送幅方向に隣接して、搬送幅方向から見て同じ位置にセットでき、１０２ｍｍ幅の感光材料のロール２５Ｇ、２５Ｈを収容したロールマガジン２０Ｇ、２０Ｈは図５に示すように２つ搬送幅方向に離間して、搬送幅方向から見て同じ位置にセットできるなど同じ幅の感光材料のロール２５を収容したロールマガジン２０を複数セットすることもでき、また、１０２ｍｍ幅の感光材料のロール２５Ｇを収容したロールマガジン２０Ｇと８９ｍｍ幅の感光材料のロール２５Ｆを収容したロールマガジン２０Ｆとを、図６に示すように２つ搬送幅方向に離間して、搬送幅方向から見て同じ位置にセットするなど、互いに異なる幅の感光材料のロール２５を収容したロールマガジン２０を複数セットすることもできる。
【００４９】
このように、セット部３０に感光材料のロール２５を暗室状態で収容して運べる略直方体のロールマガジン２０をセットすることができるので、感光材料のロール２５の補充、交換が簡単にできる。
【００５０】
また、セット部３０に、互いに異なる幅の感光材料のロール２５を収容したロールマガジン２０を複数セットすることができるので、感光材料のロール２５を収容したロールマガジン２０を交換することなく、同時に又は交互に幅の異なるプリントを得る露光をすることができる。
【００５１】
また、セット部３０の底は平面であり、セット部３０の所定高さに単一の送出口３３が設けられており、送出口３３から内部を遮光状態を維持しつつ感光材料を通過可能にしており、この所定高さがロールマガジン２０の送出スリット２３が設けられている所定高さに対応する高さなので、セットされる１又は２以上のロールマガジン２０の全てについて、このロールマガジン２０の送出スリット２３からこのロールマガジン２０に収容された感光材料を給送できる。これにより、セット部３０にセットされる全てのロールマガジン２０について、単一の送出口３３から感光材料を給送できるので、給送機構を簡単に小型に安価にできる。
【００５２】
また、セット部３０には、ロールマガジン２０の外壁の所定位置に設けられた表示部２１を読み取り、ロールマガジン２０に収容された感光材料の品種（収容した感光材料がカラープリント用感光材料かモノローム感光材料かということを含む）と、ロールマガジン２０に収容された感光材料の面質とを読み取る表示読取部３１と、ロールマガジン２０の外壁の所定位置に設けられた幅表示部２２を読み取り、ロールマガジン２０に収容された感光材料の幅を読み取る幅表示読取部３２が設けられている。
【００５３】
なお、この表示読取部３１と幅表示読取部３２は、セット部３０にセットされる１又は２以上のロールマガジン２０の各々の表示部２１と幅表示部２２に対応する位置に設けられており、セット部３０にセットされる全てのロールマガジン２０の表示部２１と幅表示部２２の表示を読み取ることができる。従って、この表示読取部３１と幅表示読取部３２は、複数（図３〜図６では３つ以上）設けられている。
【００５４】
そして、セット部３０の入口を開閉する開閉扉８１が設けられている。そして、この開閉扉８１は、セット部３０の入口の上方の蝶番でセット部３０の入口を開閉するもので、開くとセット部３０にロールマガジン２０をセットしたり取りだしたりでき、閉じるとセット部３０の内部を遮光状態にして、セット部３０の送出口３３から装置内部に光が漏れることを防止する。
【００５５】
また、前述の所定高さの送出口３３と略同一高さの給送路に沿って、セット部３０にセットされ、感光材料のロール２５を収容したロールマガジン２０から、カッタ５１に感光材料を給送する給送ローラ対４１〜４４及び第二給送ローラ対４５〜４８からなる給送部４０が設けられている。
【００５６】
そして、この給送部４０には、セット部３０にセットされたロールマガジン２０から感光材料を搬送部６０に給送する給送ローラ対４１〜４４及び第二給送ローラ対４５〜４８が、セット部３０に感光材料のロール２５を収容したロールマガジン２０を複数セットされた場合（例えば、図３〜図６に示すような場合）のいずれの場合であっても、ロールマガジン２０に収容された各感光材料のロール２５毎に、当該ロールの感光材料のみを給送する給送ローラ対４１〜４４が少なくとも１つあり、かつ、当該ロールの感光材料のみを給送する第二給送ローラ対４５〜４８が少なくとも１つあるように、設けられている。
【００５７】
例えば、図３に示す場合、給送ローラ対４３、４４及び第二給送ローラ対４７、４８は、ロールマガジン２０Ｂに収容されていた感光材料のみ給送し、給送ローラ対４１、４２及び第二給送ローラ対４５、４６は、ロールマガジン２０Ｃに収容されていた感光材料のみ給送する。複数のロールの感光材料を給送する給送ローラ対及び第二給送ローラ対は無い。
【００５８】
また、図４に示す場合、給送ローラ対４４及び第二給送ローラ対４８は、ロールマガジン２０Ｄに収容されていた感光材料のみ給送し、給送ローラ対４２、４３及び第二給送ローラ対４６、４７は、ロールマガジン２０Ｅに収容されていた感光材料のみ給送し、給送ローラ対４１及び第二給送ローラ対４５は、ロールマガジン２０Ｆに収容されていた感光材料のみ給送し、複数のロールの感光材料を給送する給送ローラ対及び第二給送ローラ対は無い。
【００５９】
また、図５に示す場合、給送ローラ対４３、４４及び第二給送ローラ対４７、４８は、ロールマガジン２０Ｇに収容されていた感光材料のみ給送し、給送ローラ対４１、４２及び第二給送ローラ対４５、４６は、ロールマガジン２０Ｈに収容されていた感光材料のみ給送し、複数のロールの感光材料を給送する給送ローラ対及び第二給送ローラ対は無い。
【００６０】
また、図６に示す場合、給送ローラ対４１及び第二給送ローラ対４５は、ロールマガジン２０Ｄに収容されていた感光材料のみ給送し、給送ローラ対４３、４４及び第二給送ローラ対４７、４８は、ロールマガジン２０Ｇに収容されていた感光材料のみ給送し、複数のロールの感光材料を給送する給送ローラ対及び第二給送ローラ対は無い。
【００６１】
従って、セット部３０にセット可能なロールマガジン２０の全てについて、ロールマガジン２０に収容されていた感光材料のロール毎に、当該ロールの感光材料のみを給送する給送ローラ対（４１〜４４の少なくとも１つ）及び第二給送ローラ対（４５〜４８の少なくとも１つ）が設けられていることになるので、セット部３０にセット可能なロールマガジン２０の全てのセットのバリエーションについて、給送ローラ対４１〜４４及び第二給送ローラ対４５〜４８の給送制御は簡単なものになり、簡単な給送制御で給送でき、カッタ５１に直接給送するための給送部材が設けられた高価なロールマガジンが不要で、給送のための構造を簡素にできる。
【００６２】
そして、カッタ５１が給送ローラ対４１〜４４及び第二給送ローラ対４５〜４８からなる給送部４０により給送された感光材料を幅方向に切断する。このカッタ５１は、給送部４０により複数の感光材料が搬送幅方向に並べて給送された場合でも、給送部４０により給送された感光材料を同時に切断するように、１つだけ設けられている。これにより、図２に示す広幅の感光材料であっても、良好な切断を簡単な機構でできる。
【００６３】
そして、搬送部６０が、給送部４０から給送され、カッタ５１で切断された感光材料を搬送する。そして、搬送部６０は、給送部４０から給送された感光材料をその搬送幅方向の位置のまま搬送する。また、この搬送部６０は、セット部３０から給送部４０により給送された感光材料を全て単一に搬送するように設けられた、搬送部入口ローラ対６１、第二ローラ対６２、第三ローラ対６３、第四ローラ対６４及び第五ローラ対６５からなっている。そして、これら搬送部入口ローラ対６１、第二ローラ対６２、第三ローラ対６３、第四ローラ対６４及び第五ローラ対６５は、いずれも搬送幅方向に単一の搬送ローラ対である。そして、これら搬送部入口ローラ対６１、第二ローラ対６２、第三ローラ対６３、第四ローラ対６４及び第五ローラ対６５は、いずれも、感光材料に直に接して搬送駆動する搬送幅方向に単一の搬送駆動ローラと、感光材料に直に接して回転する搬送幅方向に単一の搬送従動ローラとからなっている。これにより、この搬送部６０は、給送部４０から複数の感光材料を搬送幅方向に並べて給送された場合でも、給送部４０により搬送幅方向に並べて給送された複数の感光材料を、その搬送幅方向の位置のまま全て単一に搬送する。また、搬送部６０には、感光材料の搬送部入口ローラ対６１の通過を検出するための検出センサ６６〜６８が設けられている。
【００６４】
なお、搬送部入口ローラ対６１は円筒形のローラ、第二ローラ対６２、第三ローラ対６３、第四ローラ対６４及び第五ローラ対６５は溝ローラであるが、搬送部６０のローラはいずれのローラであってもよく、また、他の形状のローラであっても、さらに、搬送部６０は、搬送幅方向に単一であれば、ローラ以外の例えばベルト搬送機構などであってもよい。
【００６５】
そして、この搬送部６０により搬送されている感光材料に、出力画像データに基づき出力画像を露光する露光部７０が設けられている。そして、露光部７０には、第二ローラ対６２及び第三ローラ対６３の間に青色光露光ヘッド７１と、第三ローラ対６３及び第四ローラ対６４の間に緑色光露光ヘッド７２と、第四ローラ対６４及び第五ローラ対６５の間に赤色光露光ヘッド７３とが搬送方向に垂直な方向に平行に並べられて設けられている。そして、これら青色光露光ヘッド７１と緑色光露光ヘッド７２と赤色光露光ヘッド７３とを所定の位置に所定の向きに保持する保持部材７４が設けられている。
【００６６】
そして、露光部７０のこれら青色光露光ヘッド７１と緑色光露光ヘッド７２と赤色光露光ヘッド７３とは、搬送部６０により搬送されている感光材料であればどのような搬送幅方向の位置であろうともその感光材料の搬送幅方向の全域を露光できるように、少なくとも搬送部６０により搬送できる最大幅の感光材料の幅を越えた幅を有し、搬送部６０により複数の感光材料を搬送幅方向に並べて搬送する場合のいずれの場合であっても、搬送部６０により搬送されている感光材料の搬送幅方向全域を露光できるように、設けられている。
【００６７】
従って、搬送部６０は複数の狭幅の感光材料を搬送することができる所に広幅の感光材料を搬送することができ、露光部７０は搬送部６０により搬送されている感光材料の搬送幅方向の全域を露光することができるので、露光部７０が簡易になり、簡易な露光制御で高能力の露光ができ、低コストにしやすい。
【００６８】
また、露光部７０のこれら青色光露光ヘッド７１と緑色光露光ヘッド７２は、複数の発光部が搬送部６０の搬送方向と直交する方向に２列の直線上に点線状に配列されたＶＦＰＨ（蛍光プリントヘッド）であり、露光部７０の赤色光露光ヘッド７３は、複数の発光部が搬送部６０の搬送方向と直交する方向に１列の直線上に点線状に配列されたＬＥＤアレイ（発光ダイオードアレイ）である。
【００６９】
また、感光材料としてカラープリント用感光材料を露光する際に、カラープリント用感光材料が感光する青、緑、赤の各原色毎に、当該原色に応じた発光で露光する露光ヘッド（青色光露光ヘッド７１、緑色光露光ヘッド７２、赤色光露光ヘッド７３）が設けられ、搬送部６０の搬送方向に異なる位置に露光するものであるけれども、露光ヘッド（青色光露光ヘッド７１、緑色光露光ヘッド７２、赤色光露光ヘッド７３）の１列又は複数列の直線状の露光位置が、搬送方向に垂直な方向で、かつ、互いに平行な位置であるので、搬送部６０の搬送幅方向に単一の搬送部入口ローラ対６１、第二ローラ対６２、第三ローラ対６３、第四ローラ対６４及び第五ローラ対６５により、複数の感光材料が搬送幅方向に並べられて搬送されている場合でも、搬送幅方向に並べられて搬送されている複数の感光材料を全て単一に搬送するので、露光部７０が、感光材料としてカラープリント用感光材料を露光する際に、色ズレが発生しにくく、カラープリント用感光材料が感光する各原色毎に設けられ、互いに異なる露光位置である露光ヘッド（青色光露光ヘッド７１、緑色光露光ヘッド７２、赤色光露光ヘッド７３）で良好な露光ができる。
【００７０】
また、露光部７０には、露光部７０の状態情報を検知する図示しない状態検知部が設けられている。この状態検知部は、図示しないセンサにより定期的に検出される露光部７０の複数の発光部が設けられた青色光露光ヘッド７１、緑色光露光ヘッド７２及び赤色光露光ヘッド７３の現在適切な発光輝度で発光できない発光部に関する情報や現在適切な温度に上昇していない発光部に関する情報や、別途入力された発光部の結像性能に関する情報情報や発光部の結像位置に関する情報などから青色光露光ヘッド７１、緑色光露光ヘッド７２及び赤色光露光ヘッド７３の現在適切に露光できる幅方向の位置範囲に関する情報を求め、青色光露光ヘッド７１、緑色光露光ヘッド７２及び赤色光露光ヘッド７３の発光部の発光頻度に関する情報から現在発光が望まれる幅方向の位置範囲に関する情報を求める。
【００７１】
また、第二セット部３５が、その送出口３８がセット部３０の送出口３３と平行になるように設けられている。この第二セット部３５の構造はセット部３０と同一のものである。また、第二セット部３５の入口を開閉する開閉扉８２が設けられている。そして、この開閉扉８２は、セット部３５の入口の上方の蝶番でセット部３５の入口を開閉するもので、開くとセット部３５にロールマガジン２０をセットしたり取りだしたりでき、閉じるとセット部３５の内部を遮光状態にして、セット部３５の送出口３８から装置内部に光が漏れることを防止する。
【００７２】
そして、第二セット部３５にセットされたロールマガジン２０から感光材料を給送するための給送ローラ対群４９及び第二給送ローラ対群５０が設けられている。この給送ローラ対群４９は給送部４０の給送ローラ対４１〜４４と同じように４つの給送ローラ対からなっていて、また、この第二給送ローラ対群５０は給送部４０の第二給送ローラ対４５〜４８と同じように４つの給送ローラ対からなっている。そして、給送ローラ対群４９及び第二給送ローラ対群５０の間にカッタ５２がカッタ５１と同様に設けられている。
【００７３】
そして、給送ローラ対群４９及び第二給送ローラ対群５０により給送された感光材料を搬送部６０に搬送するための搬送ローラ対５３、５４、５５、５６が設けられており、また、第二セット部３５にセットされたロールマガジン２０から給送され切断され搬送された感光材料を搬送部６０に送るために、搬送路切り替え部材５７、５８が設けられていて、図１で一点鎖線で示すように、その位置を切り替えることにより、第二セット部３５にセットされたロールマガジン２０から給送され切断され搬送された感光材料を搬送部６０に送ることができる。
【００７４】
これにより、多数のロールマガジン２０をセットできるので、セットされるロールマガジン２０の交換の手間がより少なく、より効率的に又より多くの種類の感光材料に露光することができる。
【００７５】
次に、本実施形態の画像記録装置の作用について説明する。先ず、セット部３０及び給送部４０の作用について説明する。なお、第二セット部３５及び給送ローラ対群４９及び第二給送ローラ対群５０及びカッタ５２の作用は、セット部３０及び給送部４０の作用と同様である。
【００７６】
給送ローラ対４１〜４４及び第二給送ローラ対４５〜４８は、給送時には所定の押圧力で感光材料を挟持して給送し、ロールマガジン２０のセット・交換時は、下ローラの上に自重で上ローラが乗っているだけの状態になる。
【００７７】
そして、ロールマガジン２０は、送出スリット２３から感光材料の先端が突き出た状態でユーザに供給される。そして、セット部３０にロールマガジン２０をセットする際や交換する際に、感光材料の先端を送出口３３から給送ローラ対４１〜４４の間に押し込む。そして、セット部３０にロールマガジン２０をセットや交換が終わると、給送ローラ対４１〜４４及び第二給送ローラ対４５〜４８は、押し込まれた感光材料を所定の押圧力で挟持する。
【００７８】
この際、ロールマガジン２０の送出スリット２３がセット部３０の送出口３３にセットされて、セット部３０に、感光材料のロール２５を収容したロールマガジン２０を所定位置にセットする。この際に、例えば、図２〜図６に示すように、感光材料のロール２５を収容したロールマガジン２０を１又は複数セットすることになる。
【００７９】
また、セット部３０に設けられた表示読取部３１が、セット部３０にセットされた１又は２以上のロールマガジン２０の全てについて、このロールマガジン２０の外壁の所定位置に設けられた表示部２１を読み取り、このロールマガジン２０に収容された感光材料の品種（収容した感光材料がカラープリント用感光材料かモノローム感光材料かということを含む）と、このロールマガジン２０に収容された感光材料の面質とを読み取り、また、セット部３０に設けられた幅表示読取部３２が、セット部３０にセットされた１又は２以上のロールマガジン２０の全てについて、このロールマガジン２０の外壁の所定位置に設けられた幅表示部２２を読み取り、このロールマガジン２０に収容された感光材料の幅を読み取る。
【００８０】
従って、どの位置にどのような品種（収容した感光材料がカラープリント用感光材料かモノローム感光材料かということを含む）のどのような面質のどのような幅の感光材料を収容したロールマガジン２０がセットされたかが判別でき、図示しない制御部で判別される。
【００８１】
そして、図示しない制御部に出力画像データが入力されると、図示しない制御部は、この出力画像データの出力サイズ、面質及び品種（モノクロームプリントかカラープリントかということを含む）の情報、並びに、露光部７０の状態情報、すなわち、状態検知部が求めた露光部７０の複数の発光部が設けられた青色光露光ヘッド７１、緑色光露光ヘッド７２及び赤色光露光ヘッド７３の現在適切に露光できる幅方向の位置範囲に関する情報及び現在発光が望まれる幅方向の位置範囲に関する情報などに基づいて、セットされているロールマガジン２０のいずれから感光材料を給送させるか決定する。
【００８２】
なお、出力画像データに合致する感光材料を給送できない場合は、出力画像データの送信元に出力できない旨の信号を送信する。
【００８３】
そして、給送部４０の給送ローラ対４１〜４４及び第二給送ローラ対４５〜４８、又は、給送ローラ対群４９及び第二給送ローラ対群５０の給送させる感光材料に対応するローラ対が、該当するロールマガジン２０から感光材料を給送する。
【００８４】
そして、給送ローラ対４１〜４４及び第二給送ローラ対４５〜４８の方から給送する場合は、カッタ５１から搬送部入口ローラ対６１に感光材料が給送されるまでの時間経過後、搬送部入口ローラ対６１が感光材料の先端が第二ローラ対６２に到達しない一定量だけ回転し、また、切り替え部材５７が下方に開かれる。
【００８５】
また、給送ローラ対群４９及び第二給送ローラ対群５０の方から給送する場合は、搬送ローラ対５３、５４、５５、５６も駆動する。
【００８６】
そして、対応するカッタ５１、５２からプリントサイズに応じた所定の長さ送った所で、給送部４０の給送ローラ対４１〜４４及び第二給送ローラ対４５〜４８、並びに、給送ローラ対群４９及び第二給送ローラ対群５０、並びに、搬送ローラ対５３、５４、５５、５６が停止する。この際に、給送ローラ対４１〜４４及び第二給送ローラ対４５〜４８側から給送する場合でプリントサイズが最小サイズより大きい場合は、搬送部入口ローラ対６１と第二給送ローラ対４５〜４８の間で感光材料が撓むことになる。そして、対応するカッタ５１、５２が作動して感光材料を切断する。
【００８７】
そして、感光材料が切断されると、給送部４０の給送ローラ対４１〜４４及び第二給送ローラ対４５〜４８の方から感光材料が給送される場合は、切り替え部材５７、５８が図１で実線で示すように変更され、第二給送ローラ対４５〜４８及び搬送部６０の各搬送ローラが駆動して、露光部７０で搬送された感光材料を露光する。
【００８８】
また、感光材料が切断されると、給送ローラ対群４９及び第二給送ローラ対群５０の方から感光材料が給送される場合は、切り替え部材５７、５８が図１で一点鎖線で示すように変更され、第二給送ローラ対群５０、搬送ローラ対５３、５４、５５、５６及び搬送部６０の各搬送ローラが駆動して、露光部７０で搬送された感光材料を露光する。
【００８９】
そして、図示しない制御部は、出力画像データの出力サイズ、面質及びモノクロームプリントかカラープリントかの情報、並びに、決定した給送される感光材料の幅方向の位置に基づき、露光制御信号を露光部７０に発信し、この露光部７０は受信した露光制御信号に基づき、各露光ヘッド（青色光露光ヘッド７１、緑色光露光ヘッド７２及び赤色光露光ヘッド７３）の各発光部を発光させて、搬送部６０により搬送されている感光材料を露光する。
【００９０】
そして、搬送部６０は、露光された感光材料を自動現像機８０の方向に搬送し、図示しない自動現像機８０で現像処理して、プリントを得る。
【００９１】
このように、カラープリント用感光材料のロールを収容したロールマガジンとモノクロームプリント用感光材料のロールを収容したロールマガジンの両方をセット部３０又は第二セット部３５にセットでき、これらのいずれの感光材料を収容しているかを示す表示部２１がロールマガジン２０に設けられているので、適切な感光材料を確実に用いて露光でき、たとえ高い精度の露光制御や現像処理がなくても、作業効率を低下させることなく、交互に又は同時にカラープリントを得るための露光とモノクローム色調の精度が高いモノクロームプリントを得るための露光とを行うことができる。
【００９２】
また、セット部３０又は第二セット部３５に異なる面質の感光材料のロールを収容したロールマガジンをセットでき、セット部３０及び第二セット部３５にセットされたロールマガジン２０の表示部２１を読み取って、セット部３０及び第二セット部３５にセットされたロールマガジン２０に収容された感光材料の面質に応じて、出力画像データに基づく、給送制御及び前記露光手段の露光制御を変更することができるので、出力画像データの面質データに応じて、給送する感光材料を変えたり、露光制御を変えたり（感光材料の面質によって、露光量と濃度との関係が異なる）することがミスなく自動的に行え、作業性が向上し、トラブルなく露光を行うことができる。
【００９３】
なお、セット部３０及び第二セット部３５の他に、ロールマガジン２０をセットでき、セットされたロールマガジン２０の送出スリット２３から当該ロールマガジン２０に収容された感光材料を給送できる単一の送出口が設けられている第三セット部が、その送出口及びその給送方向とセット部３０の送出口及びその給送方向とが同一面内になり、第三セット部の給送方向とセット部３０の給送方向とが交差するように設けられていてもよい。そして、第三セット部にセットされたロールマガジンから感光材料を給送する給送部材が設けられ、この給送部材により給送された感光材料を切断して搬送部６０に供給するようにしてもよい。
【００９４】
これにより、セットされるロールマガジンの交換の手間がより少なく、より効率的に又より多くの種類の感光材料に露光することができる。
【００９５】
また、本実施形態では、セット部３０にセットされたロールマガジン２０に収容された感光材料の種類、幅を表示部２１及び幅表示部２２を読み取ることにより検知したが、これらを入力するキーボードやタッチパネルなどの入力手段を設け、この入力手段により入力された感光材料の種類、幅に応じて、出力画像データに基づく、給送制御及び露光制御を変えるようにしてもよい。
【００９６】
これによっても、出力画像データに応じて、給送する感光材料を変えたり、露光制御を変えたりすることが自動的に行え、作業性が向上し、トラブルを少なくすることができる。
【００９７】
実施形態２
本実施形態の画像記録装置は、感光材料のロールを収容したロールマガジン１２０から感光材料２を給送し、給送された感光材料２に出力画像データに基づき出力画像を露光する画像記録装置である。以下、本実施形態の画像記録装置の概略斜視図である図８に基づいて、本実施形態の画像記録装置について説明する。
【００９８】
ロールマガジン１２０は、感光材料のロールを暗室状態で収容して運べる略直方体のロールマガジンである。そして、収容した感光材料のロールを送出するための出入口である送出スリットが遮光された状態で設けられており、この送出スリットから感光材料を給送する。（図８では陰に隠れている）どのような幅のどのような面質のかつどのような種類の感光材料を収容したロールマガジンであっても、送出スリットは、底面から同じ所定の高さの位置に、搬送幅方向に垂直な断面が同じ断面であるように設けられている。
【００９９】
また、ロールマガジン１２０の外壁の所定位置には、収容した感光材料の品種（収容した感光材料がカラープリント用感光材料かモノローム感光材料かということを含む）と、収容した感光材料の面質とを表示する表示部と、収容した感光材料の幅を表示する幅表示部とが設けられている。（図示せず）
セット部１３０は、感光材料のロールを収容したロールマガジン１２０を所定位置にセットする部分で、最大幅の感光材料（例えば、２９７ｍｍ幅）のロールを収容したロールマガジン１２０を１つセットすることも、図８に示すようにこの最大幅より狭い幅の感光材料のロールを収容したロールマガジン１２０Ａ、１２０Ｂを２つ（例えば、８９ｍｍ幅の感光材料のロールを収容したロールマガジンと１２９ｍｍ幅の感光材料のロールを収容したロールマガジン）セットすることもできるように設けられている。
【０１００】
また、セット部１３０の底は平面であり、セット部１３０の所定高さに単一の送出口１３３が設けられており、送出口１３３から内部を遮光状態を維持しつつ感光材料を通過可能にしており、この所定高さがロールマガジン１２０の送出スリットが設けられている所定高さに対応する高さなので、セットされる１又は２以上のロールマガジン１２０の全てについて、このロールマガジン１２０の送出スリットからこのロールマガジン１２０に収容された感光材料を給送できる。
【０１０１】
また、セット部１３０には、ロールマガジン１２０の外壁の所定位置に設けられた表示部を読み取り、ロールマガジン１２０に収容された感光材料の品種（収容した感光材料がカラープリント用感光材料かモノローム感光材料かということを含む）と、ロールマガジン１２０に収容された感光材料の面質とを読み取る表示読取部と、ロールマガジン１２０の外壁の所定位置に設けられた幅表示部を読み取り、ロールマガジン１２０に収容された感光材料の幅を読み取る幅表示読取部が設けられている。（図示せず）
なお、この表示読取部と幅表示読取部は、セット部１３０にセットされる１又は２つのロールマガジン１２０の各々の表示部と幅表示部に対応する位置に設けられており、セット部１３０にセットされる全てのロールマガジン１２０の表示部と幅表示部の表示を読み取ることができる。
【０１０２】
また、前述の所定高さの送出口１３３と略同一高さの給送路に沿って、セット部１３０にセットされ、感光材料のロールを収容したロールマガジン１２０から、カッタ１５１に感光材料を給送する給送ローラ対１４１、１４２が設けられている。
【０１０３】
そして、セット部１３０に感光材料のロールを収容したロールマガジン１２０が２つセットされた場合（例えば、図８に示すような場合）、ロールマガジン１２０に収容された各感光材料のロール毎に、給送ローラ対１４１、１４２が各々、当該ロールの感光材料のみを給送する。
【０１０４】
そして、カッタ１５１が給送ローラ対１４１、１４２により給送された感光材料を搬送幅方向に切断する。このカッタ１５１は、給送ローラ対１４１、１４２により１つの感光材料だけが給送された場合、給送された感光材料を搬送幅方向に完全に切断し、給送ローラ対１４１、１４２により２つの感光材料２Ａ，２Ｂが搬送幅方向に並べて給送された場合、給送された感光材料２Ａ，２Ｂを同時に搬送幅方向に完全に切断するように、１つだけ設けられている。これにより、図２に示す広幅の感光材料であっても、良好な切断を簡単な機構でできる。
【０１０５】
そして、搬送ベルト１６１が、給送ローラ対１４１、１４２から給送され、カッタ１５１で切断された感光材料２Ａ，２Ｂを搬送する。そして、搬送ベルト１６１は、給送ローラ対１４１、１４２から給送された感光材料をその搬送幅方向の位置のまま搬送する。また、この搬送ベルト１６１は、セット部１３０から給送ローラ対１４１、１４２により給送された感光材料に直に接して搬送駆動して、この感光材料を全て単一に搬送するように設けられており、搬送ベルト駆動ローラ１６２、１６３により駆動されている。
【０１０６】
そして、この搬送ベルト１６１により搬送されている感光材料に、出力画像データに基づき出力画像を露光する露光部１７０が設けられている。そして、露光部１７０には、青色光露光ヘッド１７１と、緑色光露光ヘッド１７２と、赤色光露光ヘッド１７３とが搬送方向に垂直な方向に平行に並べられて設けられている。そして、これら青色光露光ヘッド１７１と緑色光露光ヘッド１７２と赤色光露光ヘッド１７３とは、図示しない保持部材により所定の位置に所定の向きに保持されている。
【０１０７】
そして、露光部１７０のこれら青色光露光ヘッド１７１と緑色光露光ヘッド１７２と赤色光露光ヘッド１７３とは、搬送ベルト１６１により搬送されている感光材料であればどのような搬送幅方向の位置であろうともその感光材料の搬送幅方向の全域を露光できるように、少なくとも搬送ベルト１６１により搬送できる最大幅の感光材料の幅を越えた幅を有し、搬送ベルト１６１により２つの感光材料を搬送幅方向に並べて搬送する場合でも、搬送ベルト１６１により搬送されている感光材料の搬送幅方向全域を露光できるように、設けられている。
【０１０８】
また、露光部１７０のこれら青色光露光ヘッド１７１と緑色光露光ヘッド１７２は、複数の発光部が搬送部６０の搬送方向と直交する方向に２列の直線上に点線状に配列されたＶＦＰＨ（蛍光プリントヘッド）であり、露光部１７０の赤色光露光ヘッド１７３は、複数の発光部が搬送部６０の搬送方向と直交する方向に１列の直線上に点線状に配列されたＬＥＤアレイ（発光ダイオードアレイ）である。
【０１０９】
また、感光材料としてカラープリント用感光材料を露光する際に、カラープリント用感光材料が感光する青、緑、赤の各原色毎に、当該原色に応じた発光で露光する露光ヘッド（青色光露光ヘッド１７１、緑色光露光ヘッド１７２、赤色光露光ヘッド１７３）が設けられ、搬送ベルト１６１の搬送方向に異なる位置に露光するものであるけれども、露光ヘッド（青色光露光ヘッド１７１、緑色光露光ヘッド１７２、赤色光露光ヘッド１７３）の１列又は複数列の直線状の露光位置が、搬送方向に垂直な方向で、かつ、互いに平行な位置であるので、搬送ベルト１６１により、２つの感光材料２Ａ，２Ｂが搬送幅方向に並べられて搬送されている場合でも、搬送幅方向に並べられて搬送されている２つの感光材料２Ａ，２Ｂを全て単一に搬送するので、露光部１７０が、感光材料としてカラープリント用感光材料を露光する際に、色ズレが発生しにくく、カラープリント用感光材料が感光する各原色毎に設けられ、互いに異なる露光位置である露光ヘッド（青色光露光ヘッド１７１、緑色光露光ヘッド１７２、赤色光露光ヘッド１７３）で良好な露光ができる。
【０１１０】
また、露光部１７０には、露光部１７０の状態情報を検知する図示しない状態検知部が設けられている。この状態検知部は、図示しないセンサにより定期的に検出される露光部１７０の複数の発光部が設けられた青色光露光ヘッド１７１、緑色光露光ヘッド１７２及び赤色光露光ヘッド１７３の現在適切な発光輝度で発光できない発光部に関する情報や現在適切な温度に上昇していない発光部に関する情報や、別途入力された発光部の結像性能に関する情報情報や発光部の結像位置に関する情報などから青色光露光ヘッド１７１、緑色光露光ヘッド１７２及び赤色光露光ヘッド１７３の現在適切に露光できる幅方向の位置範囲に関する情報を求め、青色光露光ヘッド１７１、緑色光露光ヘッド１７２及び赤色光露光ヘッド１７３の発光部の発光頻度に関する情報から現在発光が望まれる幅方向の位置範囲に関する情報を求める。
【０１１１】
また、第二セット部１３５が、その送出口１３８がセット部１３０の送出口１３３と同一平面内で直交する方向に設けられている。この第二セット部１３５の構造はセット部１３０と同一のものである。そして、第二セット部１３５にセットされたロールマガジン１２０Ｃから感光材料を給送するための給送ローラ対１４９が設けられている。この給送ローラ対１４９から所定長さ給送された感光材料２はカッタ１５１により給送幅方向に完全に切断される。そして、給送ローラ対１４９により給送され切断された感光材料を搬送ベルト１６１上に乗せることができる。
【０１１２】
これにより、多数のロールマガジン１２０をセットできるので、セットされるロールマガジン１２０の交換の手間がより少なく、より効率的に又より多くの種類の感光材料に露光することができる。
【０１１３】
次に、本実施形態の画像記録装置の作用について説明する。先ず、セット部１３０、給送ローラ対１４１、１４２及びカッタ１５１の作用について説明する。なお、第二セット部１３５、給送ローラ対１４９及びカッタ１５２の作用も同様である。
【０１１４】
給送ローラ対１４１、１４２は、給送時には所定の押圧力で感光材料を挟持して給送し、ロールマガジン１２０のセット・交換時は、下ローラの上に自重で上ローラが乗っているだけの状態になる。
【０１１５】
そして、ロールマガジン１２０は、送出スリットから感光材料の先端が突き出た状態でユーザに供給される。そして、セット部１３０にロールマガジン１２０をセットする際や交換する際に、感光材料の先端を送出口１３３から給送ローラ対１４１、１４２の間から引き抜いてロールマガジン１２０を取り外し、感光材料の先端を送出口１３３から給送ローラ対１４１、１４２の間に押し込んでロールマガジン１２０をセットする。そして、セットや交換が終わると、給送ローラ対１４１、１４２は、押し込まれた感光材料を所定の押圧力で挟持する。
【０１１６】
この際、ロールマガジン１２０の送出スリットがセット部１３０の送出口１３３にセットされて、セット部１３０に、感光材料のロールを収容したロールマガジン１２０を所定位置に１又は２つセットする。
【０１１７】
また、セット部１３０に設けられた表示読取部が、セット部１３０にセットされた１又は２つのロールマガジン１２０について、このロールマガジン１２０の外壁の所定位置に設けられた表示部を読み取り、このロールマガジン１２０に収容された感光材料の品種（収容した感光材料がカラープリント用感光材料かモノローム感光材料かということを含む）と、このロールマガジン１２０に収容された感光材料の面質とを読み取り、また、セット部１３０に設けられた幅表示読取部が、セット部１３０にセットされた１又は２つのロールマガジン１２０について、このロールマガジン１２０の外壁の所定位置に設けられた幅表示部を読み取り、このロールマガジン１２０に収容された感光材料の幅を読み取る。
【０１１８】
従って、どの位置にどのような品種（収容した感光材料がカラープリント用感光材料かモノローム感光材料かということを含む）のどのような面質のどのような幅の感光材料を収容したロールマガジン１２０がセットされたかが判別でき、図示しない制御部で判別される。
【０１１９】
そして、図示しない制御部に出力画像データが入力されると、図示しない制御部は、この出力画像データの出力サイズ、面質及び品種（モノクロームプリントかカラープリントかということを含む）の情報、並びに、露光部１７０の状態情報、すなわち、状態検知部が求めた露光部１７０の複数の発光部が設けられた青色光露光ヘッド１７１、緑色光露光ヘッド１７２及び赤色光露光ヘッド１７３の現在適切に露光できる幅方向の位置範囲に関する情報及び現在発光が望まれる幅方向の位置範囲に関する情報などに基づいて、セットされているロールマガジン２０のいずれから感光材料を給送させるか決定する。
【０１２０】
なお、出力画像データに合致する感光材料を給送できない場合は、出力画像データの送信元に出力できない旨の信号を送信する。
【０１２１】
そして、給送ローラ対１４１、１４２又は給送ローラ対１４９のいずれかが、該当するロールマガジン１２０から感光材料を給送する。
【０１２２】
そして、給送ローラ対１４１、１４２から給送する場合は、感光材料をそれぞれプリントサイズに応じた搬送方向長さ給送された後、カッタ１５１により搬送幅方向に切断して、搬送ベルト１６１の上に乗せる。また、給送ローラ対１４９から給送する場合は、感光材料をそれぞれプリントサイズに応じた搬送幅方向長さ給送された後、カッタ１５２により搬送方向に切断して、搬送ベルト１６１の上に乗せる。
【０１２３】
そして、搬送ベルト１６１に感光材料が乗せられると、搬送ベルト１６１が所定の搬送速度で搬送され、露光部１７０で搬送された感光材料を露光する。
【０１２４】
そして、図示しない制御部は、出力画像データの出力サイズ、面質及びモノクロームプリントかカラープリントかの情報、並びに、決定した給送される感光材料の幅方向の位置に基づき、露光制御信号を露光部１７０に発信し、この露光部１７０は受信した露光制御信号に基づき、各露光ヘッド（青色光露光ヘッド１７１、緑色光露光ヘッド１７２及び赤色光露光ヘッド１７３）の各発光部を発光させて、搬送ベルト１６１により搬送されている感光材料を露光する。
【０１２５】
そして、搬送ベルト１６１は、露光された感光材料を自動現像機１８０の方向に搬送し、自動現像機１８０で現像処理して、プリントを得る。
【０１２６】
このように、カラープリント用感光材料のロールを収容したロールマガジンとモノクロームプリント用感光材料のロールを収容したロールマガジンの両方をセット部１３０又は第二セット部１３５にセットでき、これらのいずれの感光材料を収容しているかを示す表示部がロールマガジン１２０に設けられているので、適切な感光材料を確実に用いて露光でき、たとえ高い精度の露光制御や現像処理がなくても、作業効率を低下させることなく、交互に又は同時にカラープリントを得るための露光とモノクローム色調の精度が高いモノクロームプリントを得るための露光とを行うことができる。
【０１２７】
また、セット部１３０又は第二セット部１３５に異なる面質の感光材料のロールを収容したロールマガジンをセットでき、セット部１３０及び第二セット部１３５にセットされたロールマガジン１２０の表示部を読み取って、セット部１３０及び第二セット部１３５にセットされたロールマガジン１２０に収容された感光材料の面質に応じて、出力画像データに基づく、給送制御及び前記露光手段の露光制御を変更することができるので、出力画像データの面質データに応じて、給送する感光材料を変えたり、露光制御を変えたり（感光材料の面質によって、露光量と濃度との関係が異なる）することがミスなく自動的に行え、作業性が向上し、トラブルなく露光を行うことができる。
【０１２８】
また、セット部１３０の他に、ロールマガジン１２０をセットでき、セットされたロールマガジン１２０の送出スリットから当該ロールマガジン１２０に収容された感光材料を給送できる単一の送出口が設けられている第二セット部１３５が、その送出口及びその給送方向とセット部１３０の送出口及びその給送方向とが同一面内になり、第二セット部１３５の給送方向とセット部１３０の給送方向とが直交するように設けられ、第二セット部１３５にセットされたロールマガジンから感光材料を給送する給送ローラ対１６３が設けられ、この給送ローラ対１６３により給送された感光材料をカッタ１５２により切断して搬送ベルト１６１に供給するので、セットされるロールマガジンの交換の手間がより少なく、より効率的に又より多くの種類の感光材料に露光することができる。
【０１２９】
また、セット部１３０、第二セット部１３５にセットされたロールマガジン１２０に収容された感光材料の品種、面質及び幅を表示部及び幅表示部を読み取ることにより検知するが、これらを入力するキーボードやタッチパネルなどの入力手段を設け、この入力手段により入力された感光材料の種類、幅に応じて、出力画像データに基づく、給送制御及び露光制御を変えることができるようになっている。これにより、検出ミスや表示部や幅表示部の不良に対処できる。
【０１３０】
【発明の効果】
本発明により、高能力で、搬送制御や露光制御を簡素にでき、広幅の感光材料を搬送する所に複数の狭幅の感光材料を搬送することができ、また、搬送手段に直接給送するための給送部材が設けられた高価なロールマガジンが不要で、給送のための構造を簡素にできる。
【図面の簡単な説明】
【図１】実施形態１の画像記録装置の概略正面断面図。
【図２】実施形態１の画像記録装置の概略断面平面図。
【図３】実施形態１の画像記録装置の概略断面平面図。
【図４】実施形態１の画像記録装置の概略断面平面図。
【図５】実施形態１の画像記録装置の概略断面平面図。
【図６】実施形態１の画像記録装置の概略断面平面図。
【図７】複数の発光部が一列又は複数列の点線状に配列された例を示す図。
【図８】実施形態２の画像記録装置の概略斜視図。
【符号の説明】
２  感光材料
２０  ロールマガジン
２１  表示部
２２  幅表示部
２３  送出スリット
２４  送出ローラ対
２５  ロール
３０  セット部
３１  表示読取部
３２  幅表示読取部
３３  送出口
４０  給送部
４１〜４４  給送ローラ対
４５〜４８  第二給送ローラ対
４９  給送ローラ対群
５０  第二給送ローラ対群
５１，５２  カッタ
５３〜５６  搬送ローラ対
５７，５８  搬送路切り替え部材
６０  搬送部
６１  搬送部入口ローラ対
６２  第二ローラ対
６３  第三ローラ対
６４  第四ローラ対
６５  第五ローラ対
７０  露光部
７１  青色光露光ヘッド
７２  緑色光露光ヘッド
７３  赤色光露光ヘッド
７４  保持部材
【図１】
0003637472.tif 000002
【図２】
0003637472.tif 000003
【図３】
0003637472.tif 000004
【図４】
0003637472.tif 000005
【図５】
0003637472.tif 000006
【図６】
0003637472.tif 000007
【図７】
0003637472.tif 000008
【図８】
0003637472.tif 000009